(57)【要約】【課題】  表示装置の使用可能状態によってユーザが誤操作しないような電子機器を提供する。【解決手段】  電子機器１は、ＨＤＤ２１等に記録された映像信号等を表示装置１４に出力する映像信号出力手段４１と、表示装置１４に設けられた出力手段から出力される映像信号を受信する受信手段４５と、受信手段４５によって映像信号を受信しているかどうかを判別する判別手段３６と、各種操作を入力するための操作入力手段１６と、表示装置１４に対して制御情報を表示させる表示制御手段３３とを備える。さらに、電子機器１は、制御手段３７を備え、判別手段３６の結果に応じて、操作入力手段１６の操作入力手順を変化させる。【選択図】  図２
2006039318.tif 000002
【特許請求の範囲】
【請求項１】
映像信号を出力する出力手段を有する表示装置が接続可能な電子機器において、
映像信号を上記表示装置に出力する映像信号出力手段と、
上記表示装置に設けられた出力手段から出力される映像信号を受信する受信手段と、
上記受信手段によって受信した映像信号が、上記映像信号出力手段から出力された映像信号と同一か否かを判別する判別手段と、
各種操作を入力するための操作入力手段と、
上記表示装置に対して制御情報を表示させる表示制御手段と、
上記判別手段、上記操作入力手段及び上記表示制御手段を制御する制御手段とを備え、
上記制御手段は、上記判別手段の判別結果に応じて、上記操作入力手段の操作入力手順を変化させることを特徴とする電子機器。
【請求項２】
上記制御手段は、上記判別手段が同一であると判別した場合、上記表示装置を使用した、上記操作入力手段の各種操作を行う操作入力の手順とし、上記判別手段が同一ではないと判別した場合、上記表示装置を使用しない、上記操作入力手段の各種操作を行う操作入力の手順にさせることを特徴とする請求項１記載の電子機器。
【請求項３】
上記判別手段は、上記受信手段によって受信した映像信号と上記映像信号出力手段から出力された映像信号とが同期がとれているかどうかを判別することを特徴とする請求項１記載の電子機器。
【発明の詳細な説明】
【技術分野】
【０００１】
本発明は、オーディオデータ等の記録及び再生等を行う電子機器に関する。
【背景技術】
【０００２】
ＤＶＤ（Digital Versatile Disc）などの記録メディアに記録されたオーディオ・ビジュアルデータを再生することができる電子機器が普及している。これら電子機器は、テレビなどの表示装置と接続し、ビジュアルデータを再生することができる。また、これらの電子機器には、接続された表示装置の表示画面に文字表示等を行う画面表示機能（On Screen Display：以下、ＯＳＤという。）を有し、そのＯＳＤにより各種操作を簡便に行うようにしたものもある。
【０００３】
通常、上述のようなＤＶＤ再生を行う電子機器は、ＣＤ（Compact Disc）も再生することができる。そして、このような電子機器は、ＣＤの再生等の各種操作もＤＶＤ同様、電子機器に接続された表示装置上のＯＳＤによって行わなければならない状態にあることが多い。
【０００４】
【特許文献１】特開２００２−３２０１６２号公報
【発明の開示】
【発明が解決しようとする課題】
【０００５】
ところで、上述のような電子機器においては、ＤＶＤを再生する場合は映像を楽しむことが前提であり、表示装置を接続して使用するのが通常であるが、オーディオデータのみからなるＣＤなどの再生の際は、音声のみを楽しめればよい。そのため、設定や状態確認等の各種操作をする以外に表示装置は不要である。
【０００６】
しかし、ＣＤ再生時に表示装置を使用しないと、ユーザが誤った操作をしてしまってもそのことを知る術がなく、その操作によって各種設定を意図せずに変更してしまうといった問題点があった。
【０００７】
また、表示装置を見なくても操作ができる操作仕様にしてしまうと、せっかくの表示装置の広い表示画面を利用できず操作性の悪いものとなってしまう。
【０００８】
さらに、表示装置を使用している場合と、そうでない場合とを自動的に切り替えられるようにした電子機器が存在するが、表示装置を使用しているかどうかについて判別するための信号を、専用の端子を介して入力していたので、機種によっては接続できないものとなっていた。
【０００９】
そこで、本発明は、このような実情に鑑みて提案されたものであり、ユーザの使い勝手を損なうことなく、接続された表示装置の使用状況を専用の制御信号によらずに判別できる電子機器を提供することを目的とする。
【課題を解決するための手段】
【００１０】
上述した目的を達成するために、本発明に係る電子機器は、表示装置が接続可能な電子機器において、映像信号を上記表示装置に出力する映像信号出力手段と、上記表示装置に設けられた出力手段から出力される映像信号を受信する受信手段と、上記受信手段によって受信した映像信号が、上記映像信号出力手段から出力された映像信号と同一か否かを判別する判別手段と、各種操作を入力するための操作入力手段と、上記表示装置に対して制御情報を表示させる表示制御手段と、上記判別手段、上記操作入力手段及び上記表示制御手段を制御する制御手段とを備える。そして上記制御手段は、上記判別手段の判別結果に応じて、上記操作入力手段の操作入力手順を変化させることを特徴とする。
【００１１】
具体的に、上記制御手段は、上記判別手段が同一であると判別した場合、上記表示装置を使用した、上記操作入力手段の各種操作を行う操作入力の手順とし、上記判別手段が同一ではないと判別した場合、上記表示装置を使用しない、上記操作入力手段の各種操作を行う操作入力の手順に切りかえる。
【００１２】
また、上記判別手段は、上記受信手段によって受信した映像信号と上記映像信号出力手段から出力された映像信号とが同期がとれているかどうかを判別するようにしてもよい。
【発明の効果】
【００１３】
本発明によれば、電子機器に接続されている表示装置の使用状況を判別手段により判別できるため、表示装置使用時と非使用時とに応じて、表示装置に制御情報を表示させるかどうかを選択できる。そのため、表示装置の使用状況にかかわらず、誤操作を減らし、使い勝手を損なうことがない。
【００１４】
また、本発明に係る電子機器は、電子機器より表示装置に出力した映像信号を、表示装置から再び電子機器に戻し、その映像信号を受信手段において受信し、判別手段において２つの映像信号が同一かどうかを判断しているので、判別のための制御信号を設ける必要がなく、汎用性の高い電子機器を提供することができる。
【発明を実施するための最良の形態】
【００１５】
以下、本発明を適用したオーディオビジュアル装置について、図面を参照して詳細に説明する。
【００１６】
図１に、本発明が適用されたオーディオビジュアル装置１の外観図を示す。
【００１７】
図１に示すように、本発明が適用されたオーディオビジュアル装置１は、本体部１１と、左チャンネルの音声信号を音に変換して出力する左スピーカ１２と、右チャンネルの音声信号を音に変換して出力する右スピーカ１３と、映像信号、ユーザインタフェース画像及び音声信号のメタ情報等の制御情報を表示する表示装置１４と、本体部１１の所定の位置に取り付けられた本体表示部１５と、操作入力用のリモートコントロール装置（以下、単にリモコンという。）１６とを備えている。
【００１８】
本体部１１は、略直方体状の筐体を有しており、当該筐体内に各種のデバイスが設けられている。本体部１１は、図示しない、各種リムーバブルメディア（ＣＤ-ＲＯＭ（音楽ＣＤも含む。）、ＭＤ（ミニディスク）、メモリカード）が挿入される挿入口が設けられている。本体部１１には、ＣＤ-ＲＯＭ、ＭＤ、メモリカードが内部に装着される。また、本体部１１には、ハードディスク（磁気ディスク）が内部に備えられている。
【００１９】
本体部１１は、各種記録メディア（ＣＤ-ＲＯＭ、ＭＤ、メモリカード、ハードディスク）に対して、音声データや映像データの記録及び再生を行う。本体部１１は、ＡＭ、ＦＭラジオ放送や衛星放送等の放送ネットワーク上で放送されている音声データ及び／又は映像データの受信を行う。本体部１１は、インターネット等の通信ネットワークに接続し、通信ネットワーク上に提供されている音声データ及び／又は映像データの受信を行う。本体部１１は、再生又は受信した音声データを、アナログの音声信号に変換及び電力増幅して左スピーカ１２及び右スピーカ１３に供給し、ユーザに対して音を出力する。本体部１１は、再生又は受信した映像データを表示装置１４に供給し、映像を出力する。本体部１１は、ユーザインタフェース画像及び音声信号のメタ情報等の制御情報も表示する。また、本体部１１は、音声データの著作権管理のための制御を行う。
【００２０】
左スピーカ１２及び右スピーカ１３は、背面側で音声ケーブルにより本体部１１と接続されている。左スピーカ１２及び右スピーカ１３は、本体部１１から音声信号が供給され、供給された音声信号を音に変換して出力する。
【００２１】
表示装置１４は、例えば、本体部１１とは別体のフラットパネルディスプレイである。表示装置１４は、背面側に映像入力端子４２を備え、本体部１１の映像出力端子４１と表示装置１４の映像入力端子４２とがビデオケーブル４３により接続され、本体部１１と接続されている。表示装置１４は、本体部１１からビデオケーブル４３を介して映像信号等が供給され、その映像信号や、ユーザインタフェース画像及び音声信号のメタ情報等の制御情報の表示を行う。
【００２２】
また、表示装置１４は、背面側に映像出力端子４４を備え、本体部１１の映像入力端子４５と表示装置１４の映像出力端子４４とがビデオケーブル４６により接続され、本体部１１と接続されている。表示装置１４は、ビデオケーブル４６を介して、本体部１１と接続され、映像信号等を出力する。なお、表示装置１４は、本体部１１と別体であるため、本体部１１の筐体上部に設置するのみならず、ケーブルの届く範囲でどこに設置してもよい。
【００２３】
本体表示部１５は、蛍光表示管や液晶表示ユニット等からなり、本体部１１の前面に設けられている。本体表示部１５は、表示装置１４よりも小型の大きさである。本体表示部１５は、オーディオビジュアル装置１の動作状況等を示すシンボルやメッセージ等や、ユーザインタフェース画像及び音声信号のメタ情報等の制御情報を表示する。本体表示部１５は、表示装置１４よりも小型のため、表示できる制御情報に制限があり、例えば、同じ音声信号のメタ情報等の制御情報を表示する場合でも、簡易的な表示を行う。
【００２４】
リモコン１６は、ユーザが当該オーディオビジュアル装置１に対する操作入力を行う装置である。リモコン１６は、無線通信により本体部１１と通信を行い、本体部１１に対してユーザの入力情報を供給する。
【００２５】
以上のような構成のオーディオビジュアル装置１は、例えばユーザの部屋等に設置され、ユーザに音楽や映像を提供するための装置として機能をする。
【００２６】
次に、オーディオビジュアル装置１の内部構成について説明をする。
【００２７】
図２に、本体部１１及び表示装置１４のブロック構成を示す。
【００２８】
本体部１１は、図２に示すように、ハードディスクドライブ（以下、ＨＤＤという）２１と、ＣＤ−ＲＯＭドライブ２２と、メモリカードドライブ２３と、通信インタフェース２４と、ミニディスク（商標）ドライブ（以下、ＭＤドライブという。）２５と、ＰＣＩインタフェース回路２６と、ＵＳＢインタフェース回路２７と、信号処理部２８とを備えている。
【００２９】
ＨＤＤ２１は、記録媒体であるハードディスク（磁気ディスク）を内蔵し、当該ハードディスクに対して音声データ及び／又は映像データの記録及び再生を行う。具体的には、ＨＤＤ２１は、ＡＴＲＡＣやＭＰ３といった所定の圧縮形式の音声データをハードディスクから再生し、また、所定の圧縮形式の音声データをハードディスクに記録する。ＨＤＤ２１は、ＰＣＩインタフェース回路２６を介して信号処理部２８により制御がされる。また、ＨＤＤ２１は、ＰＣＩインタフェース回路２６を介して信号処理部２８と所定形式で圧縮された音声データをやり取りする。
【００３０】
ＣＤ−ＲＯＭドライブ２２は、ＣＤ-ＲＯＭやＣＤ等が装着される。ＣＤ−ＲＯＭドライブ２２は、ＣＤ-ＲＯＭやＣＤ等から音声データ等を再生する。ＣＤ−ＲＯＭドライブ２２は、ＰＣＩインタフェース回路２６を介して信号処理部２８により制御がされる。また、ＣＤ−ＲＯＭドライブ２２は、ＰＣＩインタフェース回路２６を介して信号処理部２８と音声データ等をやり取りする。
【００３１】
メモリカードドライブ２３は、内部に不揮発性半導体メモリを備えたメモリカードが装着される。メモリカードドライブ２３は、メモリカードに対して音声データ及び／又は映像データの記録及び再生を行う。具体的には、メモリカードドライブ２３は、ＡＴＲＡＣやＭＰ３といった所定の圧縮形式の音声データをメモリカードから再生し、また、所定の圧縮形式のオーディオデータをメモリカードに対して記録する。メモリカードドライブ２３は、ＰＣＩインタフェース回路２６を介して、信号処理部２８により制御がされる。また、メモリカードドライブ２３は、ＰＣＩインタフェース回路２６を介して信号処理部２８と所定形式で圧縮された音声データ等をやり取りする。
【００３２】
通信インタフェース２４は、インターネット等の通信ネットワーク上のサーバ等から音声データ等をダウンロードしたり、当該サーバに音声データ等をアップロードしたりするネットワーク処理回路である。通信インタフェース２４は、ＰＣＩインタフェース回路２６を介して、信号処理部２８により制御がされる。また、通信インタフェース２４は、ＰＣＩインタフェース回路２６を介して信号処理部２８と音声データ等をやり取りする。
【００３３】
ＭＤドライブ２５は、ＭＤが装着される。ＭＤドライブ２５は、ＡＴＲＡＣ形式の音声データをＭＤから再生し、また、ＡＴＲＡＣ形式の音声データをＭＤに対して記録する。ＭＤドライブ２５は、ＵＳＢインタフェース回路２７を介して、信号処理部２８により制御がされる。ただし、ＭＤドライブ２５は、ＵＳＢインタフェース回路２７を介さずに、信号処理部２８と音声データのやり取りを行う。
【００３４】
信号処理部２８は、各種のデジタル処理を行う。具体的には、各記録メディアに対応した符号化処理及び復号処理、インターネット等の通信ネットワークを介して送受信される音声データや映像データに対する符号化及び復号処理を行う。信号処理部２８は、ハードディスク、メモリカード及びＭＤに対する音声データや映像データの記録制御を行う。また、信号処理部２８は、ハードディスク、ＣＤ-ＲＯＭやＣＤ等及び、メモリカード及びＭＤから音声データや映像データの再生制御を行う。
【００３５】
また、本体部１１は、図２に示すように、チューナ３０と、アンプ３１と、リモートコントローラインタフェース回路（以下、リモコンＩ／Ｆという。）３２と、映像信号発生回路３３と、ビデオプロセッサ３４と、ビデオバッファ３５と、同期比較回路３６と、プラットフォーム３７とを備えている。
【００３６】
チューナ３０は、ＡＭ、ＦＭラジオ放送や衛星放送等の放送ネットワーク上で放送されている音声データを受信する受信装置である。
【００３７】
アンプ３１は、音声信号が入力され、当該音声信号の電力増幅をする。アンプ３１は、増幅した音声信号を音声ケーブルを介してスピーカ１２、１３に供給する。
【００３８】
リモコンＩ／Ｆ３２は、リモコン１６と無線通信により情報のやり取りを行う。リモコンＩ／Ｆ３２は、リモコン１６から受信した情報をプラットフォーム３７に供給し、プラットフォーム３７から与えられた情報をリモコン１６に送信する。
【００３９】
映像信号発生回路３３は、プラットフォーム３７から与えられる制御信号（例えば、ユーザインタフェースを表示するための情報信号、コンテンツのメタデータ等を表示するための情報信号）が入力され、入力された制御信号を所定の映像フォーマットの映像信号に変換する。映像信号発生回路３３は、生成した映像信号をビデオプロセッサ３４に供給する。
【００４０】
ビデオプロセッサ３４は、表示装置１４及び本体表示部１５に表示させる映像信号を生成する回路である。ビデオプロセッサ３４は、プラットフォーム３７を介して与えられる映像信号（例えば、ＨＤＤ２１に記録された映像信号）が入力され、入力された映像信号を所定の映像フォーマットの映像信号に変換する。また、ビデオプロセッサ３４は、映像信号発生回路３３で生成された映像信号も入力される。ビデオプロセッサ３４は、表示装置１４に出力するために生成した映像信号をビデオバッファ３５に供給し、本体表示部１５に出力するために生成した映像信号をプラットフォーム３７を介して本体表示部１５に供給する。
【００４１】
ビデオバッファ３５は、ビデオプロセッサ３４からの信号をバッファリングする。ビデオバッファ３５は、バッファリング後の信号を映像出力端子４１を介して表示装置１４に出力する。
【００４２】
同期比較回路３６は、ビデオプロセッサ３４からの出力信号と表示装置１４のビデオバッファ１４ｂから出力される出力信号とが入力される。同期比較回路３６は、所定のタイミングで、ビデオプロセッサ３４とビデオバッファ１４ｂとから入力される信号の同期状態をプラットフォーム３７に出力する。なお、同期比較回路３６は、所定のタイミングで同期状態を確認することについて述べたが、これに限らず、所定の動作を行った場合、例えば、リモコン１６で操作を行ったときに確認するようにしてもよい。
【００４３】
プラットフォーム３７は、信号処理部２８から出力された音声データや映像データ、チューナ３０から出力された音声データのうち、音声データをアナログの音声信号に変換して、アンプ３１に出力し、映像データをビデオプロセッサ３４に出力する。また、プラットフォーム３７は、いずれかの記録メディアへ音声データや映像データを記録する際には、チューナ３０から出力された音声データや、信号処理部２８から出力された音声データや映像データを、信号処理部２８へ出力する。さらに、プラットフォーム３７は、表示装置１４への映像信号等の出力や本体表示部１５への制御情報等の出力など、本オーディオビジュアル装置１の全体の制御を行う。
【００４４】
本体部１１は、さらに、ビデオバッファ３５からの信号を表示装置１４に出力する映像出力端子４１と、表示装置からの映像信号が入力される映像入力端子４５とを備える。
【００４５】
映像出力端子４１は、ビデオバッファ３５からの信号を出力する映像出力端子である。本体部１１の映像出力端子４１は、表示装置１４の映像入力端子４２とビデオケーブル４３を介して接続されている。
【００４６】
映像入力端子４５は、外部からの信号、例えば、表示装置１４からの信号を入力する映像入力端子である。本体部１１の映像入力端子４５は、表示装置１４の映像出力端子４４とビデオケーブル４６を介して接続されている。
【００４７】
次に、表示装置１４について説明する。表示装置１４は、ビデオセレクタ１４ａと、ビデオバッファ１４ｂと、映像入力端子４２と、映像出力端子４４とを備えている。
【００４８】
ビデオセレクタ１４ａは、複数個設けられた映像入力端子４２から入力される映像信号等を選択し、図示しない信号処理回路へ出力する。また、ビデオセレクタ１４ａは、選択した映像信号をビデオバッファ１４ｂにも出力する。
【００４９】
ビデオバッファ１４ｂは、ビデオセレクタ１４ａからの信号をバッファリングする。ビデオバッファ１４ｂは、バッファリング後の信号を映像出力端子４４を介して本体部１１の同期比較回路３６に出力する。
【００５０】
以上のような構成の本体部１１では、音声や映像の出力を行う場合には、プラットフォーム３７に、各記録メディアから再生された音声データや映像データ又は通信ネットワークから受信された音声データや映像データ、又は、放送ネットワークから受信された音声データや映像データが入力される。プラットフォーム３７は、入力された音声データをアンプ３１に供給し、映像データをビデオプロセッサ３４等を介して表示装置１４に供給することにより、スピーカ１２、１３から音声出力を行い、表示装置１４から映像出力を行う。さらに、プラットフォーム３７は、表示装置１４及び本体表示部１５に制御信号を出力し、その制御信号によってユーザインタフェース画像及び音声信号のメタ情報等の制御情報を表示させる。
【００５１】
また、プラットフォーム３７は、リモコン１６からの操作入力を受け付けて、音声等の出力、記録、表示装置１４及び本体表示部１５への表示制御等の各種の制御を行う。
【００５２】
本発明が適用されたオーディオビジュアル装置１では、以上のような構成を有することにより、ハードディスク、ＭＤ、メモリカードへの音声データ等の記録、ハードディスク、ＭＤ、メモリカード、ＣＤ等からの再生、インターネットからのデータのダウンロード、音声放送の受信等を行うことができる。
【００５３】
さらに、本発明が適用されたオーディオビジュアル装置１では、本体部１１に映像信号発生回路３３及び本体部１１と別体にされた表示装置１４を有しているので、ユーザインタフェースやコンテンツのメタ情報をユーザにわかりやすく表示することができる。また、オーディオビジュアル装置１は、同期比較回路３６を有しているので、表示装置１４が接続されていない場合などには、表示装置１４を使用した操作入力ではなく、本体表示部１５を使用した簡易な操作入力の手順に切りかわる。なお、上述の簡易な操作入力手順は、表示装置１４が接続されている場合においても、ユーザの切換操作によっても切りかえることができる。
【００５４】
以下に、上述のような２つの操作入力の手順について説明する。まず、表示装置１４に表示される表示画面について図面を参照しながら説明する。なお、本説明においては、オーディオビジュアル装置１によるＣＤの再生を例に説明する。
【００５５】
まず、表示装置１４は、表示装置１４がオーディオビジュアル装置１とビデオケーブル４３，４６を介して接続されており、本体部１１から出力される映像信号と、表示装置１４から入力される映像信号とが同期が取れている場合、図３（i）に示すような表示画面を表示する。図３（i）に示すように、表示装置１４の表示画面では、ディスク情報５１と、該ディスクに収録されている曲情報５２α、５２β、５２γ、・・・（まとめて、曲情報５２とする。）とが表示される。また、図３（i）に示す表示装置１４の表示画面においては、現在のカーソル位置を表示するカーソル５３が表示されている。
【００５６】
ディスク情報５１は、ディスクタイトル等の現在再生されているＣＤに収録されている情報が表示される。なお、図３（i）においては、曲αが再生されている状態を示している。
【００５７】
曲情報５２は、再生されているＣＤに収録されている曲についての情報（例えば、曲番、曲名、曲時間等）が表示される。
【００５８】
以上のような表示画面を見ながら、ユーザは、リモコン１６を操作して所望とする曲を再生することができる。
【００５９】
具体的には、例えば、ユーザが現在再生されている曲αを中断し、曲γを再生したいと所望する場合、ユーザはリモコン１６のカーソル５３を下に移動させる操作を２回入力し、カーソル５３を曲γに移動させ、曲γを仮選択する（図３（ii）、（iii））。次に、ユーザは、リモコン１６の決定をする操作を入力すると曲γが再生される（図３（iv））。つまり、オーディオビジュアル装置１は、カーソル５３を移動しているときは、現在の曲αが再生を続けており、決定をする操作が入力がされたときに曲γが再生されるように制御される（以下、仮選択入力という。）。
【００６０】
また、ユーザは、リモコン１６の所定の操作により、上述のような仮選択入力を有効にする場合と、そうではない場合とを選択できる。つまり、仮選択入力を使用しない場合は、リモコン１６のカーソル５３を移動させる操作を入力し、カーソル５３を移動させると、移動された位置における曲を選択し、再生する（以下、直接選択入力という。）。具体的には、上述と同様に現在再生されている曲αの再生を中断し、曲γを再生したいと所望する場合、ユーザは、図３（v）に示す曲αが再生されている状態から、リモコン１６のカーソル５３を下に移動させる操作を１回入力し、カーソル５３を下に移動させ、曲情報５２βにあわせると、曲βが再生される（図３（vi））。次に、ユーザは、リモコン１６のカーソル５３を下に移動させる操作を１回入力し、カーソル５３を下に移動させ、曲情報５２γにあわせると、曲γが再生される（図３（vii））。つまり、直接選択入力は、カーソル５３を移動させると、該カーソル５３の移動位置における曲を再生を行うのに対し、仮選択入力は、決定をする操作を行うまでは、次の曲が再生されないような操作入力手順である。
【００６１】
また、本体表示部１５は、図４に示すように、曲番５４と、曲名５５と、曲経過時間５６と、現在の動作状況５７とを表示画面に表示する。本体表示部１５は、現在再生されている曲の曲情報のみを表示する。
【００６２】
次に、プラットフォーム３７が、上述のような仮選択入力及び直接選択入力を表示装置１４の接続状態に応じて切りかえ、操作入力を変化させる動作について、図５のフローチャートを参照しながら、具体的に説明する。
【００６３】
図５に示すように、プラットフォーム３７は、ステップＳ１において、表示装置１４（外部入力）とビデオプロセッサ３４の出力信号とが同期がとれているかを判断する。同期がとれている場合には、ステップＳ２に進み、同期がとれていない場合には、ステップＳ３に進む。
【００６４】
プラットフォーム３７は、ステップＳ２において、表示装置１４を使用し、仮選択入力を有効にする操作入力に切りかえる。具体的には、図３に示すような表示画面を表示装置１４に表示するとともに、ユーザのリモコン１６によるカーソル５３移動が行われても、仮選択がされており、決定操作をしないと選択されないようにする。また、このとき、本体表示部１５は、図４に示すような表示画面である。
【００６５】
また、プラットフォーム３７は、ステップＳ３において、直接選択入力を有効にする操作入力に切りかえる。具体的には、図４に示すような表示画面を本体表示部１５に表示するとともに、ユーザのリモコン１６によるカーソル移動操作が行われた場合には、その操作に伴って動作状況を変化させる。
【００６６】
以上のように、オーディオビジュアル装置１では、接続された表示装置１４からの映像信号を入力し、ビデオプロセッサ３４からの出力信号と同期状態を確認して、同期がとれている場合は、表示装置１４が使用できる状態にあると判断し、仮選択入力を有効にし、表示装置１４を使用する操作入力にする。また、同期が取れていない場合は、表示装置１４が使用できない状態にあると判断し、直接選択入力を有効にし、本体表示部１５の簡易な表示画面を使用して、操作入力を行うようにする。そのため、ユーザは、表示装置１４と同期がとれていないときには、仮選択入力が有効ではないので、現在どのカーソルを仮選択をしているかわからない状態で操作することなく、誤操作を防ぐことができる。また、オーディオビジュアル装置１は、表示装置１４からの出力信号と同期をとっているので、特別な制御信号を出力する装置を設ける必要がない。
【００６７】
なお、本発明は上述した実施の形態のみに限定されるものではなく、本発明の要旨を逸脱しない範囲において種々の変更が可能であることは勿論である。
【００６８】
また、上述のように、本体部１１からの出力信号と表示装置１４からの入力信号とが同期がとれていない場合は、本体表示部１５を設けて直接選択入力を有効にすることについて述べたが、これに限らず、例えば、本体表示部１５を設けないで、ユーザがリモコン１６の操作をすると、音声等によって現在の動作状況が確認できるような構成にしてもよい。
【００６９】
また、表示装置１４は、フラットパネルディスプレイについて述べたが、これに限らず、映像出力端子を備えたモニタであれば、どのようなものであってもよい。
【００７０】
また、本発明は、オーディオビジュアル装置を例にあげて説明をしたが、これに限らず、オーディオ装置等の種々の電子機器に適用できる。
【図面の簡単な説明】
【００７１】
【図１】フロントパネルを閉じた状態での本発明が適用されたオーディオビジュアル装置の外観図を示す。
【図２】本発明が適用されたオーディオビジュアル装置のブロック構成図である。
【図３】表示装置に表示される画面の一例を示し、仮選択入力及び直接選択入力について説明した図である。
【図４】本体表示部に表示される画面の一例を示した図である。
【図５】表示装置との同期状態を判断し、操作方法を切りかえる制御フローを示す図である。
【符号の説明】
【００７２】
１  オーディオビジュアル装置、１１  本体部、１１ａ  前面パネル、１１ｂ  挿入口、１２  左スピーカ、１３  右スピーカ、１４  表示装置、１４ａ  ビデオセレクタ、１４ｂ  ビデオバッファ、１５  本体表示部、１６  リモコン、２１  ＨＤＤ、２２  ＣＤ−ＲＯＭドライブ、２３  メモリカードドライブ、２４  通信インタフェース、２５  ＭＤドライブ、２６  ＰＣＩインタフェース回路、２７  ＵＳＢインタフェース回路、２８  信号処理部、３０  チューナ、３１  アンプ、３２  リモコンインタフェース、３３  映像信号発生回路、３４  ビデオプロセッサ、３５  ビデオバッファ、３６  同期比較回路、３７  プラットフォーム、４１，４４  映像出力端子、４２，４５  映像入力端子、４３，４６  ビデオケーブル
【図１】
2006039318.tif 000003
【図２】
2006039318.tif 000004
【図３】
2006039318.tif 000005
【図４】
2006039318.tif 000006
【図５】
2006039318.tif 000007